(57)【特許請求の範囲】
【請求項１】
線状のケーブル本体の所定の位置に、前記ケーブル本体の外周部分の少なくとも半分以下となるように表面が正極となる板状の磁石を取り付け、その反対側の外周部分の少なくとも半分以下となるように表面が負極となる板状の磁石を取り付け、
前記表面が正極となる板状の磁石または前記表面が負極となる板状の磁石の一方を覆う位置から、前記表面が正極となる板状の磁石および前記表面が負極となる板状の磁石の略半分を覆う位置までを前記外周部分に沿って回転し、前記各板状の磁石の磁気をシールドする磁気シールド部を備えたことを特徴とするケーブル。
【請求項２】
前記線状のケーブル本体の所定の位置に、前記ケーブル本体の外周部分の少なくとも半分以下となるように板状の磁石を取り付け、その反対側の外周部分の少なくとも半分以下となるよう板状の磁性体を取り付け、
前記板状の磁石を覆う位置から、前記板状の磁石の略半分を覆う位置までを前記外周部分に沿って回転し、前記板状の磁石の磁気をシールドする磁気シールド部を備えたことを特徴とするケーブル。
【発明の詳細な説明】
【技術分野】
【０００１】
本発明は、電子機器などに用いられるケーブルに関し、特に、不使用時にまとめておくことができるケーブルに関する。
【背景技術】
【０００２】
一般的に、電子機器に電源を供給したり、通信を行う電子機器が信号のやり取りをしたりする場合に、ケーブルが用いられる。このケーブルの一端に電子機器を取り付け、他端に電源の供給元であるコンセントや、信号のやり取りをする相手の電子機器を取り付けることで、電子機器を使用することが可能となる。ところで、電子機器とコンセントとの距離や、電子機器と相手の電子機器との距離が離れている場合には、ケーブルの長さを長くする必要がある。また、電子機器を様々な場所で使用することを考慮すると、同様にケーブルの長さを長くする必要がある。
【０００３】
しかしながら、ケーブルの長さを長くすると、電子機器の不使用時などに、ケーブルがばらばらになり邪魔になってしまうという問題があった。このような問題を解決するために、電子機器やコンセント、相手の電子機器、電子機器とコンセントとの間、電子機器と相手の電子機器との間などに、ケーブルを巻き取るためのリールを設ける技術が知られている（例えば、特許文献１など）。
【０００４】
特許文献１に記載の従来技術のように、ケーブルを巻き取るためのリールを設けることで、電子機器の不使用時などにケーブルがリールに巻き取られるので、ケーブルがばらばらになり邪魔になることを防止することができる。しかしながら、リールが必要になるため、電子機器やコンセントが大型化したり、別途リールが必要になったりするため、電子機器や別途設けたリールが邪魔になってしまうという問題があった。
【０００５】
このような問題を解決するために、所定の長さを有するケーブルの一部に正極および負極に磁化させた外皮を形成し、磁石の正極と磁石の負極とを引き合わせてケーブルを巻き取る技術が知られている（例えば、特許文献２など）。
【先行技術文献】
【特許文献】
【０００６】
【特許文献１】特開２００１−４５１３３号公報
【特許文献２】特開２００４−７５２２６号公報
【発明の概要】
【発明が解決しようとする課題】
【０００７】
しかしながら、上述した特許文献２に記載の従来技術では、リールが不要になるものの、電子機器を使用している際でも、ケーブルの一部に設けた外皮の磁石が近付くと引き合って、外皮同士がくっ付いてしまい、ケーブルを延ばした状態に維持することができなくなってしまうという問題があった。
【０００８】
本発明は、このような問題を解決するために成されたものであり、ケーブルの不使用時には、リールを不要として巻き取りを可能とし、ケーブルの使用時には、ケーブルを延ばした状態に維持することができるようにすることを目的とする。
【課題を解決するための手段】
【０００９】
上述した課題を解決するために、本発明では、ケーブル本体の所定の位置に外周部分の少なくとも半分以下となるように表面が正極となる磁石を取り付け、その反対側の外周部分の少なくとも半分（角度として１８０度）以下となるように表面が負極となる磁石を取り付けて、表面が正極となる磁石または表面が負極となる磁石の一方を覆う位置から、表面が正極となる磁石および表面が負極となる磁石の略半分を覆う位置に回転し、磁石の磁気をシールドする磁気シールド部をケーブル本体の外周に取り付けるようにしている。
【００１０】
また、本発明の他の態様によれば、ケーブル本体の所定の位置に外周部分の少なくとも半分以下となるように磁石を取り付け、その反対側の外周部分の少なくとも半分以下となるように磁性体を取り付けて、磁石を覆う位置から、磁石の略半分を覆う位置に回転し、磁石の磁気をシールドする磁気シールド部をケーブル本体の外周に取り付けるようにしている。
【発明の効果】
【００１１】
上記のように構成した本発明によれば、磁石の正極および負極がケーブル本体の外周の半分以下となるように反対側に取り付けられており、磁気シールド部がケーブル本体の外周の略半分を覆うようにケーブル本体の外周部分を回転可能であるので、ケーブルを使用する際には、表面が正極となる磁石または表面が負極となる磁石の一方を覆うように磁気シールド部を回転させることで、ケーブル本体に設けた磁石の正極または負極の磁気がシールドされる。これにより、ケーブルが引き合わなくなり、ケーブルを延ばした状態に維持することができるようになる。一方、ケーブルの不使用時には、表面が正極となる磁石および表面が負極となる磁石の略半分を覆うように磁気シールド部を回転させることで、ケーブル本体に設けた磁石の正極および負極がシールドされなくなる。これにより、ケーブルが引き合うようになり、リールを不要としてケーブルの巻き取りが可能となる。
【００１２】
また、本発明の他の態様によれば、磁石および磁性体がケーブル本体の外周の半分以下となるように反対側に取り付けられており、磁気シールド部がケーブル本体の外周の略半分を覆うようにケーブル本体の外周部分を回転可能であるので、ケーブルを使用する際には、磁石を覆うように磁気シールド部を回転させることで、ケーブル本体に設けた磁石の磁気がシールドされる。これにより、ケーブルが引き合わなくなり、ケーブルを延ばした状態に維持することができるようになる。一方、ケーブルの不使用時には、磁石の略半分を覆うように磁気シールド部を回転させることで、ケーブル本体に設けた磁石がシールドされなくなる。これにより、ケーブルが引き合うようになり、リールを不要としてケーブルの巻き取りが可能となる。
【図面の簡単な説明】
【００１３】
【図１】本実施形態によるケーブルの構成例を示す図である。
【図２】本実施形態によるケーブルの不使用状態を示す図である。
【図３】本実施形態によるケーブルの変形例を示す図である。
【発明を実施するための形態】
【００１４】
以下、本発明の一実施形態を図面に基づいて説明する。図１は、本実施形態によるケーブルの構成例を示す図である。また、図１（ａ）は本実施形態によるケーブルの構成例を示す側面図、図１（ｂ）は本実施形態によるケーブルの不使用時の状態を示すＡ−Ａ´断面図、図２（ｃ）は本実施形態によるケーブルの使用時の状態を示すＡ−Ａ´断面図である。図１において、１はケーブル本体１、２は回転部、３は磁気シールド部、４は電源線や信号線などの線状部材、５は表面が正（Ｎ）極となる磁石、６は表面が負（Ｓ）極となる磁石である。
【００１５】
ケーブル本体１は線状であり、例えば、その一端が電子機器に接続されている。また、このケーブル本体１の他端はコンセントや相手の電子機器に接続される。また、このケーブル本体１は所望の長さを有している。ここで、所望の長さは、電子機器とコンセントとの距離や、電子機器と相手の電子機器との距離によって決められる。また、ケーブル本体１の内部には、４本の線状部材４がケーブル本体１の長さ方向に埋め込まれており、この線状部材４によって、電源の供給や信号のやり取りが行われる。
【００１６】
ケーブル本体１の所定の位置には、ケーブル本体１の外周部分の少なくとも半分以下の大きさとなるように、表面が正極となる磁石５が取り付けられている。また、その反対側には、ケーブル本体１の外周部分の少なくとも半分以下の大きさとなるように、表面が負極となる磁石６が取り付けられている。ここで、磁石５、６は、ケーブル本体１の複数箇所に取り付けられている。
【００１７】
回転部２は、一箇所に設けられた磁石５、６を覆うように取り付けられており、ケーブル本体１の外周部分に対して回転可能である。ここで、回転部２の内部には図示しない溝が略半周に渡って形成されており、ケーブル本体１に設けた凸部を収容する。そのため、回転部２の溝の壁面部分とケーブル本体１の凸部とにより、ストッパーが構成され、回転部２が略半周に渡って回転可能となる。磁気シールド部３は、磁気をシールドするためのものであり、回転部２の周方向に対して略半分の大きさで設けられている。ここで、磁気シールド部３の構成要素については周知技術を用いるため、説明を省略する。
【００１８】
このように構成された回転部２がケーブル本体１の外周を回転する場合、回転部２は、表面が正極となる磁石５を磁気シールド部３によって覆う位置（図１（ｂ）を参照）から、表面が正極となる磁石５および表面が負極となる磁石６の略半分を磁気シールド部３によって覆う位置（図１（ｃ）を参照）まで回転する。ここで、一箇所に設けられた回転部２をある方向に回転させた場合には、他の箇所に設けられた回転部２についても同じ方向に回転させる必要がある。
【００１９】
このように構成されたケーブルを使用する場合、図１（ｂ）に示すように、磁気シールド部３が、表面が正極となる磁石５を覆う位置に回転部２を回転させる。すると、表面が正極となる磁石５の磁気が、磁気シールド部３によってシールドされるようになる。そのため、ケーブル本体１の複数箇所に設けられた、表面が正極となる磁石５の磁気が無効となり、表面が負極となる磁石６の磁気が有効であるものの、対となる磁石５の磁気が存在しなくなり、ケーブルの所定の位置が引き合うことがなくなる。
【００２０】
一方、上述したように構成されたケーブルを不使用とする場合、図１（ｃ）に示すように、磁気シールド部３が、表面が正極となる磁石５を位置（図１（ｂ）を参照）から、表面が正極となる磁石５および表面が負極となる磁石６の略半分を覆う位置まで回転部２を回転させる。すると、表面が正極となる磁石５は略半分だけ磁気シールド部３によって覆われ、表面が負極となる磁石６も略半分だけ磁気シールド部３によって覆われる。そのため、ケーブル本体１の複数箇所に設けられた、表面が正極となる磁石５の磁気および表面が負極となる磁石６の磁気は有効となり、ケーブルの所定の位置が引き合い、図２に示すように巻き取ることが可能となる。
【００２１】
以上詳しく説明したように、本実施形態によれば、ケーブル本体１の所定の位置に外周部分の少なくとも半分以下となるように表面が正極となる磁石５を取り付け、その反対側の外周部分の少なくとも半分以下となるように表面が負極となる磁石６を取り付けて、表面が正極となる磁石５を覆う位置から、表面が正極となる磁石５および表面が負極となる磁石６の略半分を覆う位置に回転する磁気シールド部３をケーブル本体１の外周に取り付けるようにしている。
【００２２】
これにより、表面が正極となる磁石５および表面が負極となる磁石６がケーブル本体１の外周の半分以下となるように反対側に取り付けられており、磁気シールド部３がケーブル本体の外周の略半分を覆うように、回転部２がケーブル本体の外周部分を回転可能である。そのため、ケーブルを使用する際には、表面が正極となる磁石５を磁気シールド部３が覆うように回転部２を回転させることで、表面が正極となる磁石５の磁気がシールドされるので、ケーブルが引き合わなくなり、ケーブルを延ばした状態に維持することができるようになる。一方、ケーブルの不使用時には、表面が正極となる磁石５および表面が負極となる磁石６の略半分を磁気シールド部３が覆うように回転部２を回転させることで、表面が正極となる磁石５および表面が負極となる磁石６の磁気がともにシールドされなくなるので、ケーブルが引き合うようになり、リールを不要としてケーブルの巻き取りが可能となる。
【００２３】
なお、本実施形態では、回転部２がケーブル本体１の外周を回転する場合に、回転部２が、表面が正極となる磁石５をシールド部３によって覆う位置（図１（ｂ）を参照）から、表面が正極となる磁石５および表面が負極となる磁石６の略半分をシールド部３によって覆う位置（図１（ｃ）を参照）までを回転するようにしているが、これに限定されない。例えば、回転部２がケーブル本体１の外周を回転する場合に、回転部２が、表面が負極となる磁石６をシールド部３によって覆う位置から、表面が正極となる磁石５および表面が負極となる磁石６の略半分をシールド部３によって覆う位置までを回転するようにしても良い。この場合、回転部２の溝とケーブル本体１の凸部の位置とを調整する必要がある。
【００２４】
また、本実施形態では、ケーブル本体１の内部に線状部材４が４本埋め込まれているが、これに限定されない。例えば、ケーブル本体１の内部に線状部材４を１本〜３本埋め込むようにしても良いし、５本以上埋め込むようにしても良い。
【００２５】
また、本実施形態では、ケーブル本体１の所定の位置に外周部分の少なくとも半分以下となるように、表面が正極となる磁石５および表面が負極となる磁石６を設けるようにしているが、これに限定されない。例えば、図３に示すように、ケーブル本体１´の所定の位置に外周部分の少なくとも半分以下となるように磁石１０を取り付け、その反対側の外周部分の少なくとも半分以下となるように磁性体１１を取り付けて、磁石１０を覆う位置から、磁石１０の略半分を覆う位置に回転し、磁石１０の磁気をシールドする磁気シールド部３をケーブル本体１の外周に取り付けるようにしても良い。
【００２６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２７】
１    ケーブル本体
２    回転部
３    磁気シールド部
４    線状部材
５    表面が正極となる磁石
６    表面が負極となる磁石
１０    磁石
１１    磁性体
【図１】
0005780918.tif 000002
【図２】
0005780918.tif 000003
【図３】
0005780918.tif 000004